(57)【要約】【課題】溶着ピンの溶着体積が不足するかを判定すること。【解決手段】熱可塑性の溶着ピンを有する表面側上壁部材の形状を表す表面側上壁部材ＣＡＤデータファイル１１３、および溶着ピンが貫通する貫通孔を有し、貫通孔から突出する前記溶着ピンの先端部を熱しながら押し潰すことで表面側上壁部材と結合する裏面側上面部材の形状を表す裏面側上壁部材ＣＡＤデータファイル１１４に基づいて、溶着ピンが貫通孔を貫通する状態で、溶着ピンの先端部を熱しながら押し潰した場合に、貫通孔から突き出した部分の溶着ピンの溶着体積を演算する溶着体積算出モジュール１０５と、溶着体積がしきい値１１１より大きいかを判定する判定モジュール１０６とを具備する。【選択図】    図１
2011134002.tif 000002
【特許請求の範囲】
【請求項１】
熱可塑性の溶着ピンを有する第１部材の形状を表す第１データ、および前記溶着ピンが貫通する貫通孔を有し、前記貫通孔から突出する前記溶着ピンの先端部を熱しながら押し潰すことで前記第１の部材と結合する第２部材の形状を表す第２データに基づいて、前記溶着ピンが前記貫通孔を貫通する状態で、前記溶着ピンの先端部を熱しながら押し潰した場合に、前記貫通孔から突き出した部分の溶着ピンの溶着体積を演算する演算手段と、
前記演算手段によって演算された溶着体積がしきい値より大きいかを判定する判定手段と、
を具備することを特徴とする溶着体積評価装置。
【請求項２】
前記判定手段は、前記溶着体積から、前記溶着ピンの先端部を熱しながら押し潰す溶着装置に付着する前記溶着ピンの体積と前記貫通孔に入り込む前記溶着ピンの体積に相当する体積との和を差し引いた体積が前記しきい値より大きいかを判定することを特徴とする請求項１に記載の溶着体積評価装置。
【請求項３】
前記判定手段によって前記溶着体積がしきい値より大きくないと判定された場合に、前記溶着ピンの溶着体積が前記しきい値より大きくなるように、前記第１データの前記溶着ピンの長さを変更する変更手段を更に具備することを特徴とする請求項１に記載の溶着体積評価装置。
【請求項４】
前記第１データに基づいて第１部材の形状を表示装置の表示画面上に表示する表示手段であって、前記判定手段によって前記溶着体積がしきい値より大きくないと判定された溶着ピンと前記判定手段によって前記溶着体積がしきい値より大きいと判定された溶着ピンとを区別して前記表示画面上に表示する表示手段を更に具備することを特徴とする請求項１に記載の溶着体積評価装置。
【請求項５】
熱可塑性の溶着ピンを有する第１部材の形状を示す第１データ、および前記溶着ピンが貫通する貫通孔を有し、前記貫通孔から突出する前記溶着ピンの先端部を熱しながら押し潰すことで前記第１の部材と結合する第２部材の形状を示す第２データに基づいて、前記溶着ピンが前記貫通孔を貫通する状態で、前記溶着ピンの先端部を熱しながら押し潰した場合に、溶着ピンの溶着体積を演算し、
前記演算された溶着体積がしきい値より大きいかを判定する、
ことを特徴とする溶着体積評価方法。
【請求項６】
コンピュータに溶着ピンを熱しながら押し潰した場合に溶着に必要な適切な体積であるかを判定させる処理を実行させるプログラムであって、
熱可塑性の溶着ピンを有する第１部材の形状を示す第１データ、および前記溶着ピンが貫通する貫通孔を有し、前記貫通孔から突出する前記溶着ピンの先端部を熱しながら押し潰すことで前記第１の部材と結合する第２部材の形状を示す第２データに基づいて、前記溶着ピンが前記貫通孔を貫通する状態で、前記溶着ピンの先端部を熱しながら押し潰した場合に、溶着ピンの溶着体積を演算させる手順と、
前記溶着体積がしきい値より大きいかを判定させる手順と、
を前記コンピュータに実行させることを特徴とするプログラム。
【発明の詳細な説明】
【技術分野】
【０００１】
本発明は、溶着ピンの溶着体積が不足しているか否かを評価する溶着体積評価装置および溶着体積評価方法に関する。
【背景技術】
【０００２】
近年、溶着ピンを用いて部材と部材とを固定させることが行われている。
【０００３】
例えば、特許文献１には、熱可塑性の溶着突起２９，６３を有する第１の部品２４，２５と、溶着突起２９，６３が貫通する貫通部４５，７１を有する第２の部品１４とを備え、貫通部４５，７１から突出する溶着突起２９，６３の先端部を熱的に押し潰すことで、第１の部品２４，２５と第２の部品１４とが互いに結合されることが開示されている。
【先行技術文献】
【特許文献】
【０００４】
【特許文献１】特開２００８−００３７１４号公報（図９）
【発明の概要】
【発明が解決しようとする課題】
【０００５】
溶着ピンを有する部材を設計する場合、部材の設計者は手動で溶着後のピン形状をモデリングしてピンの溶着体積が適切かを判断したり、想像によりピンの溶着体積が適切か判断したりしている。想像等によるために実際に製造した場合に溶着体積が不足して、不具合が発生することがある。
【０００６】
本発明の目的は、溶着ピンの溶着体積が不足するかを判定することが可能な溶着体積評価装置および溶着体積評価方法を提供することにある。
【課題を解決するための手段】
【０００７】
本発明の一例に係わる溶着体積評価装置は、熱可塑性の溶着ピンを有する第１部材の形状を表す第１データ、および前記溶着ピンが貫通する貫通孔を有し、前記貫通孔から突出する前記溶着ピンの先端部を熱しながら押し潰すことで前記第１の部材と結合する第２部材の形状を表す第２データに基づいて、前記溶着ピンが前記貫通孔を貫通する状態で、前記溶着ピンの先端部を熱しながら押し潰した場合に、前記貫通孔から突き出した部分の溶着ピンの溶着体積を演算する演算手段と、前記演算手段によって演算された溶着体積がしきい値より大きいかを判定する判定手段と、を具備することを特徴とする。
【０００８】
本発明の一例に係わる溶着体積評価方法は、熱可塑性の溶着ピンを有する第１部材の形状を示す第１データ、および前記溶着ピンが貫通する貫通孔を有し、前記貫通孔から突出する前記溶着ピンの先端部を熱しながら押し潰すことで前記第１の部材と結合する第２部材の形状を示す第２データに基づいて、前記溶着ピンが前記貫通孔を貫通する状態で、前記溶着ピンの先端部を熱しながら押し潰した場合に、溶着ピンの溶着体積を演算し、前記演算された溶着体積がしきい値より大きいかを判定する、ことを特徴とする。
【発明の効果】
【０００９】
本発明によれば、溶着ピンの溶着体積が不足するかを判定することが可能になる。
【図面の簡単な説明】
【００１０】
【図１】本発明の第１の実施形態に係わる溶着体積評価装置の構成を示すブロック図。
【図２】ノートブック型の携帯型パーソナルコンピュータの外観を示す斜視図。
【図３】図２に示すコンピュータの上壁部材の表面側上壁部材を示す斜視図。
【図４】図２に示すコンピュータの上壁部材の裏面側上壁部材を示す斜視図。
【図５】表面側上壁部材と裏面側上壁部材との位置関係を示す斜視図。
【図６】表面側上壁部材と裏面側上壁部材とを密着させた状態を示す斜視図。
【図７】図６の一部を拡大した断面図。
【図８】図７の一部を拡大した断面図。
【図９】溶着ピンを押し潰した状態を示す断面図。
【図１０】本発明の一実施形態に係わる溶着体積評価方法の手順を示すフローチャート。
【発明を実施するための形態】
【００１１】
本発明の実施の形態を以下に図面を参照して説明する。
【００１２】
図１は、本発明の第１の実施形態に係わる溶着体積評価装置の構成を示すブロック図である。この溶着体積評価装置が実行する処理は、コンピュータプログラムによって実現される。
【００１３】
溶着体積評価装置１００は、しきい値記録モジュール１０１、補正値記録モジュール１０２、ピン含有部材ファイル読出モジュール１０３、被溶着部材ファイル読出モジュール１０４、溶着体積算出モジュール１０５、判定モジュール１０６、通知モジュール１０７、修正モジュール１０８、部材形状表示データ生成モジュール１０９、および表示モジュール１１０等を備えている。
【００１４】
本装置１００は、ＣＡＤ（Computer Aided Design）によって設計された部品のＣＡＤデータを評価するために用いられる。本装置１００の構成を詳細に説明する前に、本装置１００が評価する対象となる部品について説明する。
【００１５】
まず、図２を参照して、ノートブック型の携帯型パーソナルコンピュータ１０の外観を説明する。
【００１６】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１７】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、およびタッチパッド１６などが配置されている。
【００１８】
コンピュータ本体１０は、複数の部材を組み合わせて構成されている。例えば、コンピュータ本体１０は、上壁を構成する部材（以下、上壁部材）と、下壁および側壁を構成する部材とから構成されている。上壁部材は、更に上面に露出する表面側上壁部材と、裏面側に表面側上壁部材と密着する裏面側上壁部材とから構成される。表面側上壁部材は、光沢感のある質感を出すために成型同時加飾転写工法（IMR）を用いて成型される。成型同時加飾転写工法では厚みのある部材を加工することができず、表面側上壁部材単体では、強度が足りない。表面側上壁部材単体と通常の成型手法で成型された裏面側上壁部材とを組み合わせることで強度を確保している。
【００１９】
図３に表面側上壁部材の斜視図を示し、図４に裏面側上壁部材の斜視図を示す。図３，図４は共に裏面側から見た部材を示している。
【００２０】
図３に示すように、表面側上壁部材２０の裏面側には、熱可塑性の溶着ピン２１が複数設けられている。また、図４に示すように、裏面側上壁部材３０には溶着ピン２１が貫通する貫通孔３１が複数設けられている。これらの表面側上壁部材２０および裏面側上壁部材３０が、本装置１００によって評価されるＣＡＤデータファイルによって製造される部材である。
【００２１】
表面側上壁部材２０と裏面側上壁部材３０とを組み合わせて上壁部材を製造する場合、図５に示すように、表面側上壁部材２０と裏面側上壁部材３０との位置合わせを行って、溶着ピン２１が対応する貫通孔３１の真下に配置されるようにする。なお、図５では、溶着ピン２１および貫通孔３１への符号の付与を一部省略している。
【００２２】
そして、図６に示すように、表面側上壁部材２０と裏面側上壁部材３０とを密着させる。図６の破線４１で囲った部分を拡大した断面図を図７に示す。図７に示すように、表面側上壁部材２０と裏面側上壁部材３０とを密着させることによって、貫通孔３１から溶着ピン２１が突き出る。さらに、溶着ピン２１および貫通孔３１を含む部分を拡大したものを図８に示す。その後、溶着装置によって溶着ピン２１の先端部を熱しながら押し潰す。図９に示すように、溶着ピン２１の先端部が変形して溶着部２１Ａが形成される。溶着部２１Ａによって、表面側上壁部材２０と裏面側上壁部材３０とが固定される。
【００２３】
ところで、溶着部２１Ａの体積が小さいと、表面側上壁部材２０と裏面側上壁部材３０とを固定するのに必要な強度を得ることができない。従来は、オペレータが、手動で溶着部の形状をモデリングしたり、想像によりピン体積が適切か判断しており、確実に不具合を防止するための設計ができていなかった。
【００２４】
本装置１００では、溶着ピン２１が、溶着に必要な形状であるかを評価する。次に、本装置１００を構成する各モジュールについて以下に説明する。
【００２５】
表示モジュール１１０は、他のモジュールから送信されるデータに基づいて、表示装置の表示画面上にデータに基づいた映像を表示するための映像信号を生成し、映像信号を表示装置に伝送する。
【００２６】
しきい値記録モジュール１０１は、オペレータの操作によって入力装置１２１から入力される値をしきい値１１１として例えばワークメモリ上に保存する。しきい値は、過去のノウハウなどから得た適切な値が入力される。
【００２７】
補正値記録モジュール１０２は、オペレータの操作によって入力装置１２１から入力される値を補正値１１２として例えばワークメモリ上に保存する。補正値は、溶着ピンの先端を熱しながら押し潰す際に溶着装置に付着する溶着ピンの体積と、貫通孔に入り込む溶着ピンの体積との和に相当する。
【００２８】
ピン含有部材ファイル読出モジュール１０３は、溶着ピンがモデリングされている部材のＣＡＤデータファイルの選択をオペレータに指示するためのメッセージを表示するためのデータを生成する。表示モジュール１１０は、データに基づいて映像信号を生成し、生成された映像信号が表示装置１２２に伝送される。ピン含有部材ファイル読出モジュール１０３は、オペレータの操作によって入力装置１２１から入力されるデータに基づいて選択された溶着ピンを有する部材のＣＡＤデータファイルを読み出す。ピン含有部材ファイル読出モジュール１０３は、オペレータの操作に応じて、表面側上壁部材２０の形状を示す表面側上壁部材ＣＡＤデータファイル１１３を読み出す。
【００２９】
被溶着部材ファイル読出モジュール１０４は、ピン含有部材ファイル読出モジュール１０３によって読み出されたＣＡＤデータファイルに対応し、貫通孔を有する被溶着部材のＣＡＤデータファイルの選択をオペレータに指示するメッセージを表示するためのデータを生成する。表示モジュール１１０は、データに基づいて映像信号を生成し、生成された映像信号が表示装置１２２に伝送される。被溶着部材ファイル読出モジュール１０４は、オペレータの操作によって入力装置１２１から入力されるデータに基づいて選択された貫通孔を有する部材のＣＡＤデータファイルを読み出す。被溶着部材ファイル読出モジュール１０４は、オペレータの操作に応じて、裏面側上壁部材３０の形状を示す裏面側上壁部材ＣＡＤデータファイル１１４を読み出す。
【００３０】
溶着体積算出モジュール１０５は、ピン含有部材ファイル読出モジュール１０３によって読み出された表面側上壁部材ＣＡＤデータファイル１１３および被溶着部材ファイル読出モジュール１０４によって読み出された裏面側上壁部材ＣＡＤデータファイル１１４に基づいて、溶着ピン２１が貫通孔３１の上面から突き出る長さを算出する。そして、溶着体積算出モジュール１０５は、算出された長さと溶着ピンの形状とに基づいて、溶着ピンを溶着装置によって溶着させた場合の溶着部２１Ａの体積を算出する。そして、溶着体積算出モジュール１０５は、算出された溶着体積から補正値１１２を差し引くことによって、補正済み溶着体積を算出する。溶着体積算出モジュール１０５は、表面側上壁部材２０に設けられている全ての溶着ピン２１について補正済み溶着体積を算出する。
【００３１】
また、溶着体積算出モジュール１０５は、各溶着ピンの溶着体積および補正済み溶着体積をログ１１５に記録して、判定モジュール１０６に処理が終了したことを通知する。なお、貫通孔３１に入り込む溶着ピン２１の体積および溶着装置に付着する溶着ピンの体積を無視しても良い場合には、補正済み溶着体積を算出しなくても良い。
【００３２】
溶着体積算出モジュール１０５によって全ての溶着ピンについて溶着体積および補正済み溶着体積がログ１１５に記録されたら、判定モジュール１０６は、ログ１１５を参照し、各溶着ピンの補正済み溶着体積（または溶着体積）としきい値とを比較して、必要な体積が確保されているかを判定する。そして、溶着体積算出モジュール１０５は、各ピンの判定結果（成功或いは失敗）をログに記録する。
【００３３】
例えば、判定モジュール１０６は、補正済み溶着体積からしきい値を引いた値を算出し、算出された値が０より大きいかを判定することによって、補正済み溶着体積がしきい値より大きいか判定する。算出された値が０より大きければ補正済み溶着体積がしきい値より大きく、算出された値が０より大きくなければ補正済み溶着体積がしきい値より大きくない。補正済み溶着体積がしきい値より大きくないと判定されれば、溶着ピンは溶着に必要な溶着体積を持っていないと判断される。また、判定モジュール１０６は、補正済み溶着体積がしきい値より大きくないと判定された溶着ピンについては、補正済み溶着体積からしきい値を引いた値を不足体積として判定結果に含ませてログ１１５に記録する。
【００３４】
各溶着ピンについての判定結果がログに記録されたら、通知モジュール１０７は、ログ１０５を参照し、補正済み溶着体積がしきい値より大きくない溶着ピンが存在したか判定する。存在しないと判定された場合、通知モジュール１０７は、溶着ピンの長さが不足するものが存在しなかった旨のメッセージを表示装置１２２の表示画面上に表示するためのデータを生成する。存在すると判定された場合、通知モジュール１０７は、溶着ピンの長さが不足するものが存在する旨のメッセージ、および長さが不足する溶着ピンについて自動的に長さを伸ばすためのモデリングを実行するかをオペレータに問い合わせるためのメッセージを表示装置１２２の表示画面上に表示するためのデータを生成する。表示モジュール１０９は、通知モジュール１０７によって生成されたデータに基づいてメッセージを表示するための映像信号を生成し、表示装置１２２に伝送する。
【００３５】
オペレータによってモデリングを実行することが選択された場合、通知モジュール１０７は修正モジュール１０８にモデリングを実行させる。また、オペレータによってモデリングを実行することが選択されなかった場合、通知モジュール１０７は部材形状表示データ生成モジュール１０９に表面側上壁部材を表示するためのデータを生成させる。
【００３６】
オペレータによってモデリングを実行することが選択された場合、修正モジュール１０８は、ログ１１５を参照し、判定結果が失敗である溶着ピン２１を検出する。検出された各溶着ピン２１について不足体積と各溶着ピン２１の形状に基づいて溶着ピン２１の長さを延長する処理を実行し、溶着ピン２１の溶着体積が不足しないようにする。
【００３７】
また、オペレータによってモデリングを実行しないことが選択された場合、部材形状表示データ生成モジュール１０９は、溶着体積が不足する溶着ピンと溶着体積が足りている溶着ピンとが区別できるように表面側上壁部材２０の形状を示すデータを生成する。部材形状表示データ生成モジュール１０９は、例えば溶着体積が不足する溶着ピンをハイライト表示されるようにデータを生成する。表示モジュール１１０は、データに基づいて映像信号を生成し、表示装置１２２に映像信号を伝送する。表示装置１２２の表示画面上には、表面側上壁部材２０の形状が表示される。
【００３８】
なお、図１では、表面側上壁部材ＣＡＤデータファイル１１３および裏面側上壁部材ＣＡＤデータファイル１１４が溶着体積評価装置１００内に格納されているかのように表示されている。しかし、表面側上壁部材ＣＡＤデータファイル１１３および裏面側上壁部材ＣＡＤデータファイル１１４は溶着体積評価装置１００内に格納されている必要はなく、溶着体積評価装置１００とネットワークで接続されたコンピュータやＮＡＳに格納されていても良い。
【００３９】
次に、溶着体積評価装置１００によって実行される溶着体積評価処理の手順を図１０のフローチャートを参照して説明する。  
先ず、オペレータが、入力装置１２１を操作することによって、溶着に不足する体積の上限値であるしきい値が溶着体積評価処理１００に入力される。また、オペレータが、入力装置１２１を操作することによって、補正値が溶着体積評価処理１００に入力される。しきい値記録モジュール１０１は入力されたしきい値１１１を記録し、補正値記録モジュール１０２は入力された補正値１１２を記録する（ステップＳ１０）。
【００４０】
次いで、ピン含有部材ファイル読出モジュール１０３は、オペレータの操作によって選択された表面側上壁部材ＣＡＤデータファイル１１３を読み出す（ステップＳ１１）。また、被溶着部材ファイル読出モジュール１０４は、オペレータの操作によって選択された裏面側上壁部材ＣＡＤデータファイル１１４を読み出す（ステップＳ１２）。
【００４１】
次に、溶着体積算出モジュール１０５は、表面側上壁部材２０と裏面側上壁部材３０とを密着させた場合に、貫通孔３１の上面から突き出す溶着ピン２１の長さを算出する。そして、突き出る溶着ピンの長さと、溶着ピンの形状とに基づいて溶着ピンを押し潰した場合の溶着部２１Ａの溶着体積を算出する。そして、溶着体積算出モジュール１０５は、溶着体積から補正値１１２を減じることによって補正済み溶着体積を算出し、溶着体積および補正済み溶着体積をログ１１５に記録する（ステップＳ１３）。
【００４２】
全ての溶着ピンについての溶着体積および補正済み溶着体積がログ１１５に記録されたら、判定モジュール１０６は、溶着体積が設定体積より大きいかを順次判定する（ステップＳ１４）。なお、溶着体積が設定体積より大きくないと判定された場合、判定モジュール１０６は、設定体積から溶着体積を引いた不足体積を算出し、溶着ピンに関連付けて記憶する。
【００４３】
全ての溶着ピンについて判定処理が行われたら（ステップＳ１５のＹＥＳ）、通知モジュール１０７は、溶着体積が不足する溶着ピンがあったかを判定する（ステップＳ１６）。溶着体積が不足する溶着ピンがなかったと判定された場合（ステップＳ１６のＮｏ）、通知モジュール１０７は、溶着体積が不足する溶着ピン２１が無かった旨のメッセージを表示するためのデータを生成し、データに基づいたメッセージが表示装置１２２の表示画面上に表示される。
【００４４】
溶着体積が不足する溶着ピンがあったと判定された場合（ステップＳ１６のＹｅｓ）、通知モジュール１０７は、溶着体積が不足する溶着ピン２１が有った旨のメッセージと、自動的にモデリングを行うかをオペレータに問い合わせるためのメッセージとが表示されるデータを生成し、データに基づいたメッセージが表示装置１２２の表示画面上に表示される（ステップＳ１７）。
【００４５】
モデリングの実行が選択された場合（ステップＳ１８のＹｅｓ）、修正モジュール１０８は、ログ１１５に失敗が記録されている溶着ピンに対して、ログ１１５に記録されている不足体積に基づいて不足体積以上の溶着体積が得られるように溶着ピン２１の長さが伸ばされるように、表面側上壁部材ＣＡＤデータファイル１１３を変更する。
【００４６】
また、モデリングの実行が選択されなかった場合（ステップＳ１８のＮｏ）、部材形状表示データ生成モジュール１０９は、ログ１１５および表面側上壁部材ＣＡＤデータファイル１１３に基づいて、表面側上壁部材２０が表示され、表面側上壁部材２０内の溶着体積が不足する溶着ピンがハイライト表示されるデータを生成し、データに基づいて表面側上壁部材２０を示す映像が表示装置１２２の表示画面上に表示される。
【００４７】
以上の処理によって、溶着ピンの溶着ピンが不足するかを判断することができる。また、自動的に溶着ピンが不足する場合に自動的にモデリングすることで、オペレータの負担を減らすことができる。また、溶着体積が不足する溶着ピンと溶着体積が足りている溶着ピンとを区別して表示することで、オペレータが溶着体積が不足する溶着ピンを見分けることが容易になる。
【００４８】
なお、本実施形態の溶着体積評価装置による溶着体積の過不足を検証するための処理はコンピュータプログラムによって実現されているので、このコンピュータプログラムをコンピュータ読み取り可能な記憶媒体を通じて通常のコンピュータにインストールするだけで、本実施形態と同様の効果を容易に実現することができる。また、このコンピュータプログラムは、パーソナルコンピュータのみならず、プロセッサを内蔵した電子機器上で実行することができる。
【００４９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００５０】
１００…溶着体積評価装置、１０１…しきい値記録モジュール、１０２…補正値記録モジュール、１０３…ピン含有部材ファイル読出モジュール、１０４…被溶着部材ファイル読出モジュール、１０５…溶着体積算出モジュール、１０６…判定モジュール、１０７…通知モジュール、１０８…修正モジュール、１０９…部材形状表示データ生成モジュール、１１０…表示モジュール、１１１…しきい値、１１２…補正値、１１３…表面側上壁部材ＣＡＤデータファイル、１１４…裏面側上壁部材ＣＡＤデータファイル、１１５…ログ。
【図１】
2011134002.tif 000003
【図２】
2011134002.tif 000004
【図３】
2011134002.tif 000005
【図４】
2011134002.tif 000006
【図５】
2011134002.tif 000007
【図６】
2011134002.tif 000008
【図７】
2011134002.tif 000009
【図８】
2011134002.tif 000010
【図９】
2011134002.tif 000011
【図１０】
2011134002.tif 000012